(57)【特許請求の範囲】
【請求項１】
線材により構成された外枠と、
前記外枠に接続された底板と、
前記外枠に挿入される筒状の側壁部を備え、
前記筒状の側壁部が着脱可能であることを特徴とする水回り用容器
【請求項２】
前記外枠に取付け部材を備え、
前記取付け部材から前記底板に垂直に下ろした垂線上に、水回り容器全体の重心がないことを特徴とする
請求項１に記載の水回り用容器
【請求項３】
前記外枠の最内面は、縦方向の線材によって構成されていることを特徴とする請求項１または２に記載の水回り用容器
【請求項４】
前記底板には少なくとも一つの孔が設けられていることを特徴とする請求項１乃至３のいずれか一項に記載の水回り用容器
【請求項５】
前記側壁部には少なくとも一つの孔が設けられていることを特徴とする請求項１乃至４の何れか一項に記載の水回り用容器
【請求項６】
前記外枠と、前記底板と、前記側壁部がステンレスによって構成されていることを特徴とする請求項１〜５の何れか一項に記載の水回り用容器
【発明の詳細な説明】
【技術分野】
【０００１】
本発明は、濡れた物を収容する水回り用容器に係り、特に水滴を外部に排出できるとともに、清掃性にすぐれた水回り用容器に関する発明である。 
【背景技術】
【０００２】
従来、はしやフォーク、ナイフなどのカトラリーを筒状の容器に収容することが一般的に行われている。（例えば、特許文献１参照。）。 
このような場合、洗浄直後の濡れた状態で容器に収容した場合、水滴が容器底部にたまってしまい、収容物を乾燥させにくく、筒状であるために清掃も困難であり不衛生であるという問題が存在した。
【０００３】
このような課題を解決するために、容器の側面や底部に水抜き用の孔を設けた容器が提案されている。（例えば、特許文献２や特許文献３）
しかしながら、この場合においても容器の側面と底部の接続部分を清掃しにくいという課題は解決されていない。
【先行技術文献】
【特許文献】
【０００４】
【特許文献１】実開昭５９−１５０３７４号公報
【特許文献２】特開２００２−６５４３７号公報
【特許文献３】特開２００３−２３５７１０号公報
【発明の概要】
【発明が解決しようとする課題】
【０００５】
本発明は、上記問題を解決するためになされたもので、本発明の課題は、濡れた物を収容しても水はけがよく、清掃性に優れた水回り用容器を提供することである。
【課題を解決するための手段】
【０００６】
上記目的を達成するために請求項１記載の発明によれば、線材により構成された外枠と、前記外枠に接続された底板と、前記外枠に挿入される筒状の側壁部を備え、前記筒状の側壁部が底板と別体であることを特徴とする水回り用容器が提供される。
これにより、濡れた物を収容した場合であっても底板と側壁部の隙間から水抜きが可能であり、かつ側壁部が脱着可能であるために底板および側壁部の清掃性が向上するという効果が得られる。
【０００７】
また、請求項２記載の発明によれば、前記外枠に取付け部材を備え、取付け部材を備え、
前記取付け部材から前記底板に垂直に下ろした垂線上に、水回り容器全体の重心がないことを特徴とする請求項１に記載の水回り用容器が提供される。
これにより、キッチンシンクや洗面化粧台などの水回り家具に水回り用容器を取り付けることが可能となり、なおかつ重心が、取付け部材からの鉛直線上に移動するように水回り容器全体に回転モーメントが働くため、水回り用容器自身が傾斜し、底板と側壁部の隙間からの水抜きをより効率的に行うことが可能となる。
【０００８】
また、請求項３記載の発明によれば、前記外枠の最内面は、縦方向の線材によって構成されていることを特徴とする請求項１または２に記載の水回り用容器が提供される。
これにより、側壁部の着脱時に、縦方向の線材がガイドとして機能し、スムーズに脱着を行うことが可能となる。
【０００９】
また、請求項４記載の発明によれば、前記底板には少なくとも一つの孔が設けられていることを特徴とする請求項１乃至３のいずれか一項に記載の水回り用容器が提供される。
これによれば、底板からの水抜きが容易に行える。
【００１０】
また、請求項５記載の発明によれば、前記側壁部には少なくとも一つの孔が設けられていることを特徴とする請求項１乃至４の何れか一項に記載の水回り用容器が提供される。
これによれば、通気が良くなり、内容物の乾燥が早まるという効果が得られる。
【００１１】
また、請求項６記載の発明によれば、前記外枠と、前記底板と、前記側壁部がステンレスによって構成されていることを特徴とする請求項１〜５の何れか一項に記載の水回り用容器が提供される。
これによれば、水回り容器の耐候性が向上し、洗剤を使用しての漬け置き洗いが可能となるなどの効果が得られる。
【発明の効果】
【００１２】
本発明によれば、濡れた物を収容しても水はけがよく、清掃性に優れるという効果がある。
【図面の簡単な説明】
【００１３】
【図１】本発明の実施例における箸立て１の斜視図。
【図２】本発明の本発明の実施例における箸立て１の側面図。
【図３】本発明の実施例における側壁部４の着脱構造を示した模式図
【図４】本発明の実施例における箸立て１をシンクなどに取り付けた状態の断面模式図
【発明を実施するための形態】
【００１４】
図１に本発明の実施例における箸立て１の斜視図を示す。
箸立て１はその側面をワイヤーフレーム２により構成されており、底面には底板３が取り付けられている。ワイヤフレーム２と底板３の取付けは溶接や接着などによって行われるが、方法は限定されるものではない。ワイヤーフレーム２の内側に側壁部４が着脱可能に組み込まれており、この側壁部４の内部に箸やスプーン、フォークといったカトラリー類を立てて収納する構造となっている。
このとき、側壁部４は単にワイヤフレーム２の内側に載置されるだけであり、ワイヤフレーム２や底板３と別体に構成されており、着脱可能となっている。
これにより、筒状の側壁部４は、取り外した状態で両側の開口部から手やスポンジなどの洗浄具を挿入して洗浄することが可能となり、その内側を簡単に清掃することが可能とな。また、底板３も接続されているのはワイヤフレーム２だけのため、スポンジなどの洗浄具が届かず洗浄が困難であった底板と側壁部の境界部が存在せず、簡単に清掃することができる。
【００１５】
ワイヤフレーム２、底板３、側壁部４はそれぞれステンレスによって構成することが好ましい。ステンレスで構成することによって耐薬品性、耐熱性が向上し、つけおき洗いや食器洗い乾燥機による洗浄が可能となる。また、耐候性、硬度、耐摩耗性に優れるとともに、衛生的である。
【００１６】
図２に本発明の実施例における箸立て１の側面図を示す。
ワイヤフレーム２にはフック５が取り付けられている。これにより、箸立て１はシンクに設けられたワイヤ収納や水切りバスケット、水切り機能のあるキャビネット、食器洗い乾燥機内などに取り付けて使用される。
また、箸立て１は必ずしもフック５によって取り付ける必要はなく、自立させて使用することも可能である。
【００１７】
図３に本発明の実施例における側壁部４の着脱構造を示した模式図を示す。
先に説明したとおり、側壁部４はワイヤフレーム２の内側に挿入、載置されているだけであり、着脱が可能となっている。取り外す際には単純に上側へ引き抜くだけで簡単に取り外すことが可能である。
このとき、ワイヤフレーム２の最内面が縦ワイヤフレーム２１から構成されていることにより、側壁部４はワイヤフレーム２に引っ掛かることがなく、スムーズに取り外すことが出来る。
【００１８】
図３に示したとおり、底板３には複数の底板孔６が設けられている。また、側壁部４にも複数の側壁部孔７が設けられている。これにより、底面に水がたまることなく、箸立て１の外側へ流出させることが可能となる。また、底面に水が滞留しにくくなるため、底面に雑菌が繁殖したりヌメリやカビが発生することを抑制し、衛生的に保つ効果もある。
【００１９】
図４に本発明の実施例における箸立て１をシンクなどに取り付けた状態の断面模式図を示す。
箸立て１はフック５によりシンクなどに取付けられるが、このとき、側壁部３の重みにより、前方に傾斜する形となる。
これにより、濡れた物を収容した際にも、側壁部３と底面２の隙間から水が外部へ流出することで、箸立て１の内部に水が残留しにくい。
また、とりついた状態で前方に傾斜させる代わりに、予め底面３を傾斜させておいても同様の効果を得ることができる。
【００２０】
以上、本発明の実施例について説明したが、本発明は上記の実施例に限定されるものではない。例えば、箸立て以外にも洗面化粧台などで用いる歯ブラシたてにも利用することが可能なものである。底面や側壁部に設けた孔についても図に示したような形態・数に限られるものではなく適宜設計してよい。
【００２１】
また、材質もステンレスであることが好ましいが、一部をステンレスとしたり、すべてを樹脂によって構成することも可能である。
さらにフック５の代わりに、吸盤による取付けや、紐によって吊り掛けるなど、取付け方法は適宜変更が可能だが、容器を傾斜させるために、容器と取付け部材が回動可能に取り付けられていることが好ましい。
【符号の説明】
【００２２】
１…箸立て
２…ワイヤフレーム
２１…縦ワイヤフレーム
３…底板
４…側壁部
５…フック
【図１】
0005463904.tif 000002
【図２】
0005463904.tif 000003
【図３】
0005463904.tif 000004
【図４】
0005463904.tif 000005